(57)【要約】【課題】この発明では、地肌に接触する部分のみの洗濯が可能で、かつら部分が汚れ難く、しかもサイズ調節が可能で、頭部の大きさの異なる人に対応できる全かつらを提供しようとするものである。【解決手段】頭部全体を覆うかつら本体２の内面に、サイズ調整可能なインナーキャップ３を着脱可能に設け、このインナーキャップ３の内周面の数箇所に、シリコンゴムシート５を取り付けた全かつら１としたのである。【選択図】  図１
2004353127.tif 000002
【特許請求の範囲】
【請求項１】
頭部全体を覆うかつら本体の内面に、サイズ調整可能なインナーキャップを着脱可能に設け、このインナーキャップの内周面の数箇所に、シリコンゴムシートを取り付けた全かつら。
【請求項２】
かつら本体と、インナーキャップとを、面ファスナにより、着脱可能にした請求項１記載の全かつら。
【請求項３】
インナーキャップの下端に、長さ調節ベルトを取り付けてサイズ調整を可能にした請求項１または２記載の全かつら。
【請求項４】
前記インナーキャップを、抗菌加工または消臭加工の少なくとも一方の加工を施したネット素材により形成した請求項１〜３のいずれかに記載の全かつら。
【請求項５】
前記インナーキャップを形成する素材として、吸水速乾性繊維素材を使用する請求項１〜４のいずれかに記載の全かつら。
【発明の詳細な説明】
【０００１】
【発明の属する技術分野】
この発明は、頭部全体を覆う全かつら、特に、先天的あるいは病気治療などにより、頭部全体の毛髪がない人が着用する全かつらに関する。
【０００２】
【従来の技術とその課題】
全かつらを着用する際、頭部に毛髪が残っている人の場合は、残っている毛髪に、ピンなどによって全かつらを固定することができるが、全体の毛髪がない人の場合には、全かつらを頭部に対して固定することができない。
このため、頭部全体の毛髪がない人が全かつらを着用する場合、両面テープを使用して全かつらを頭部に固定している。
しかしながら、両面テープは、一度、頭部に貼り付けて剥がすと、接着力が低下するため、頭部に対する位置決めがうまくいかなかった場合には、両面テープを一々貼り換えて、再度、装着作業をやり直す必要があり、装着作業に手間取るという問題がある。
また、頭部全体の毛髪がない人の場合、全かつらの着用は毎日行い、しかも地肌に直接触れるため、全かつらが汚れやすく、頻繁に洗濯する必要があるが、かつらの洗濯は、難しく、頻繁に洗濯すると、すぐに形崩れが生じるという問題がある。
特に、頭部全体の毛髪がない人が着用する全かつらは、着用する人の頭部にぴったりと大きさが合うようにオーダーメードされている場合が多く、高価であるから、形崩れにより、頻繁にオーダーすることは着用者に大きな経済的負担を強いるという問題がある。
そこで、この発明は、地肌に接触する部分のみの洗濯が可能で、かつら部分が汚れ難く、しかもサイズ調節が可能で、頭部の大きさの変化に対応できる全かつらを提供しようとするものである。
【０００３】
【課題を解決するための手段】
上記の課題を解決するため、この発明は、頭部全体を覆うかつら本体の内面に、サイズ調整可能なインナーキャップを着脱可能に設け、このインナーキャップの内周面の数箇所に、シリコンゴムシートを取り付けた全かつらとしたのである。
【０００４】
この構成の全かつらは、インナーキャップのサイズ調整を行うことにより、頭部の大きさの異なる人に適応させることができ、しかもインナーキャップの内周面のシリコンゴムシートが頭部に密着するため、安定した装着状態が得られる。
さらに、シリコンゴムシートは、変質し難く、人体に対しても、痒みやかぶれを生じる恐れが少ない。また、シリコンゴムは、適度の接着性があり、貼り直しによっても接着性が変化しにくいため、着け直しによる、かつらの装着を簡単に行える。
また、かつら本体の内面のインナーキャップにより、かつら本体と地肌とが直接接触しないので、かつら本体が汚れ難い。インナーキャップは、かつら本体に対し、着脱可能であるため、インナーキャップをかつら本体から分離させて、簡単に洗濯できる。
【０００５】
【発明の実施の形態】
以下、この発明の実施の形態を図面に基づき説明する。
図１、図２に示すように、全かつら１は、かつら本体２の内面にインナーキャップ３を設けたものである。かつら本体２とインナーキャップ３は、それぞれに取り付けられた複数対の面ファスナ４ａ、４ｂにより着脱可能となっている。インナーキャップ３には、内周面にシリコンゴムシート５を、外周面にサイズ調整手段６を設けている。
【０００６】
まず、インナーキャップ３について説明する。
インナーキャップ３は、細かい網目で、厚さの薄い、黒色のネット３ａを後述のかつら本体２からはみ出ないように、頭部の形状に合わせて略半球に形成したものである。ネット３ａの外周の全周には、ゴムバンド３ｂが取り付けられている。
ネット３ａは、ポリエステル１００％の吸水速乾性繊維素材に、シルクプロテイン加工を施した素材によって形成されている。ここで、吸水速乾性繊維素材とは、合成繊維などの繊維を多孔化し、毛細管現象により、吸水性（または吸汗性）を向上させた素材で、速乾性を兼ね備えているものである。
吸水速乾性繊維素材を用いると、地肌からの汗がインナーキャップ３に素早く吸収され、しかも速やかに拡散されるので、蒸れ難く、快適な全かつら１が得られる。また、シルクプロテイン加工を施してインナーキャップ３に抗菌効果と消臭効果を付与することにより、全かつら１を衛生的に保つことができる。
なお、抗菌成分または消臭成分をマイクロカプセルにて担持させた繊維をネット３ａの素材に用いることにより、抗菌効果または消臭効果を付与することができる。また、ネット３ａの色は、暗色が好ましく、黒以外の濃茶色でもよい。
【０００７】
さらに、インナーキャップ３の外面には、頭頂部と、下端の周囲の４箇所とに、円形の雄面ファスナ４ａを縫い付けて取り付けている。この雄面ファスナ４ａに対応して、後述のかつら本体２の内面には、雌面ファスナ４ｂが取り付けられ、この雄面ファスナ４ａと雌面ファスナ４ｂとにより、インナーキャップ３がかつら本体２に対して着脱自在になっている。なお、インナーキャップ３をかつら本体２に対して着脱可能とする手段は、面ファスナに限らず、ボタンによる結合を用いてもよいし、インナーキャップ３とかつら本体２とを、紐を用いて括り付けるようにしてもよい。
【０００８】
さらに、インナーキャップ３の内側には、シリコンゴムシート５を、内周面に一定間隔で４箇所に、縫い付けている。
シリコンゴムシート５としては、平面形状が楕円形で、厚さ０．５ｍｍ程度のものを使用することができる。シリコンゴムシート５は、地肌に密着しやすく、適度の接着性を有する。このように、シリコンゴムシートを用いると、痒みやかぶれを生じる恐れが少ない全かつらになる。
シリコンゴムシート５の形状は、特に、限定されず、地肌との密着性を考慮して、配置や数を決めればよい。
【０００９】
さらに、インナーキャップ３には、外周面にサイズ調整手段６を設けている。図３に示すように、このサイズ調整手段６は、２連リング形のバックル６ａと、ゴム製の長さ調節ベルト６ｂとから構成される。バックル６ａはゴムバンド３ｂに取り付けられている。長さ調節ベルト６ｂは一端がバックル６ａに間隔を置いてゴムバンド３ｂに縫い付けられている。
インナーキャップ３のサイズを調整するには、長さ調節ベルト６ｂをバックル６ａに通し、長さ調節ベルト６ｂを引いてベルト縫付部６ｃとバックル６ａとの間隔を狭めてインナーキャップ３の周縁を絞ればよい。
このようにすると、インナーキャップ３の周縁が絞られるので、シリコンゴムシート５は地肌に密着し、滑り止め機能を発揮する。
【００１０】
次に、かつら本体２について述べる。
かつら本体２は、帽子状のネットベースに、擬毛２ａを植毛したものである。かつら本体２のネットベースの内面には、雌面ファスナ４ｂを、インナーキャップ３の外面に取付けた雄面ファスナ４ａに対応するように取り付けている。なお、暗色のインナーキャップ３を使用することにより、かつら本体２のネットベースが透けて見え難くなるので、特に、ネットベースに裏張りは不要である。
【００１１】
次に、この全かつら１の装着について述べる。
まず、インナーキャップ３を被り、予め、そのサイズをサイズ調整手段６で頭部に合わす。次に、サイズ調整したインナーキャップ３をかつら本体２の裏面に嵌め、面ファスナ４ａ、４ｂを結合して、全かつら１の状態にして被る。最後に、装着位置や全かつら１の髪型の乱れを直して、装着作業を完了する。
また、汗等でインナーキャップ３が汚れた時は、面ファスナ４ａ、４ｂの結合を解き、洗濯すればよい。
【００１２】
【発明の効果】
この発明によれば、全かつらは、インナーキャップのサイズ調整を行うことにより、頭部の大きさの異なる人に適応させることができ、しかもインナーキャップの内周面のシリコンゴムシートが頭部に密着するため、安定した装着状態が得られる。
さらに、シリコンゴムシートは、変質し難く、人体に対しても、痒みやかぶれを生じる恐れが少ない。また、シリコンゴムは、適度の接着性があり、貼り直しによっても接着性が変化しにくいため、着け直しによる、かつらの装着を簡単に行える。
また、かつら本体の内面のインナーキャップにより、かつら本体と地肌とが直接接触しないので、かつら本体が汚れ難い。インナーキャップは、かつら本体に対し、着脱可能であるため、インナーキャップをかつら本体から分離させて、簡単に洗濯できる。
【図面の簡単な説明】
【図１】この発明の一実施の形態の全かつらを示す全体斜視図である。
【図２】図１の全かつらを頭部に装着した状態を示す頭部を透過して断面表示した図である。
【図３】図１の全かつらのサイズ調整手段付近の拡大斜視図である。
【符号の説明】
１  全かつら
２  かつら本体
２ａ  擬毛
３  インナーキャップ
３ａ  ネット
３ｂ  ゴムバンド
４ａ  雄面ファスナ
４ｂ  雌面ファスナ
５  シリコンゴムシート
６  サイズ調整手段
６ａ  バックル
６ｂ  長さ調節ベルト
６ｃ  ベルト縫付部
【図１】
2004353127.tif 000003
【図２】
2004353127.tif 000004
【図３】
2004353127.tif 000005